(57)【要約】  本発明は、特にテニスボールやバドミントンシャトルコックといったようなラケットスポーツにおけるボールのためのボール缶（Ｂ）に関するものであって、複数のボールまたは複数のシャトルコックを収容する中空チューブ（Ｔ）と、この中空チューブ（Ｔ）に対して固定されるキャップ（２）であるとともに、中空チューブ（Ｔ）に対して一体化され得るリング（４）と、このリング（４）に対してヒンジ連結されたカバー（６）と、を備えた、キャップ（２）と、を具備している。カバー（６）とリング（４）とをヒンジ連結するジョイント（８）が、ヒンジ（８２）と、復帰部材（８４）と、を備え、復帰部材（８４）が、カバー（６）の開放時には、カバー（６）をリング（４）に対して９０°よりも大きな角度（β）をなす位置にまで移動させ得るものとされている。
2013536130.tif 000002
【特許請求の範囲】
【請求項１】
特にテニスボールやバドミントンシャトルコックといったようなラケットスポーツにおけるボールのためのボール缶（Ｂ）であって、
複数のボールまたは複数のシャトルコックを収容する中空チューブ（Ｔ）と、
この中空チューブ（Ｔ）に対して固定されるキャップ（２）であるとともに、前記中空チューブ（Ｔ）に対して一体化され得るリング（４）と、このリング（４）に対してヒンジ連結されたカバー（６）と、を備えた、キャップ（２）と、
を具備し、
前記カバー（６）と前記リング（４）との間の前記ヒンジ連結が、ジョイント（８）によって行われ、
このジョイント（８）が、少なくとも１つのヒンジ（８２）と、復帰部材（８４）と、を備え、
前記復帰部材（８４）が、前記カバー（６）の開放時には、前記カバー（６）を前記リング（４）に対して９０°よりも大きな角度（β）をなす位置にまで移動させ得るものとされていることを特徴とするボール缶。
【請求項２】
請求項１記載のボール缶において、
前記カバー（６）が、前記カバー（６）と前記リング（４）との間の前記角度（β）が１８０°である位置にまで前記復帰部材（８４）によって移動されることを特徴とするボール缶。
【請求項３】
請求項１記載のボール缶において、
前記カバー（６）が、前記カバー（６）と前記リング（４）との間の前記角度（β）が１８０°よりも小さい位置にまで例えば１３５°〜１５０°という位置にまで前記復帰部材（８４）によって移動されることを特徴とするボール缶。
【請求項４】
請求項１〜３のいずれか１項に記載のボール缶において、
前記復帰部材（８４）が、双安定性のものとされていることを特徴とするボール缶。
【請求項５】
請求項１〜４のいずれか１項に記載のボール缶において、
前記ジョイント（８）が、１つの中央ヒンジ（８２）と、この中央ヒンジ（８２）の両サイドに設けられた２つの復帰部材（８４）と、を有していることを特徴とするボール缶。
【請求項６】
請求項１〜５のいずれか１項に記載のボール缶において、
前記ジョイント（８）が、このジョイント（８）の中央に配置された復帰部材（８４）と、この復帰部材（８４）の両サイドに設けられた２つのヒンジ（８２）と、を有していることを特徴とするボール缶。
【請求項７】
請求項１〜６のいずれか１項に記載のボール缶において、
前記キャップ（２）の閉塞状態においては、前記カバー（６）が、前記中空チューブ（Ｔ）に対して一体化されることを特徴とするボール缶。
【請求項８】
請求項１〜６のいずれか１項に記載のボール缶において、
前記キャップ（２）の閉塞状態においては、前記カバー（６）が、前記リング（４）に対して一体化されることを特徴とするボール缶。
【請求項９】
請求項１〜８のいずれか１項に記載のボール缶において、
前記キャップ（２）の開放時には、前記復帰部材（８４）が、スプリングバックすることを特徴とするボール缶。
【発明の詳細な説明】
【技術分野】
【０００１】
本発明は、ラケットスポーツにおけるボール等のための、とりわけテニスボールやバドミントンシャトルコックのための、缶に関するものである。
【背景技術】
【０００２】
スポーツ付属品の分野においては、より詳細には、とりわけテニスボールのための缶やバドミントンシャトルコックのためのチューブの分野においては、一般的には、ラケットスポーツのボールのための缶の分野においては、コート上において、ボールやシャトルコックのための缶のカバーをなくしたりあるいは見失ったりすることが、よく起こる。この問題点を克服するために、とりわけ特許文献１においては、ヒンジ付きのカバーを使用することにより、カバーを缶に対して一体的に維持することが公知である。
【０００３】
ボールやシャトルコックのための既存の缶に関する他の欠点は、とりわけテニスボールの缶に対しての風の作用によって、コート上において転がってしまいやすいことである。特に特許文献２に開示されているような公知の解決手法においては、非円形のカバーを使用する。それぞれ非円形のカバーの外径形状は、直線状のエッジを有したものとされる。これにより、ボールの缶の回転を停止させることができる。
【０００４】
非円形のカバーを使用するという技術は、そのようなボール缶を格納する際に困難性を引き起こすという欠点を有している。なぜなら、ボール缶がなす円筒形状の上方に存在するカバーの不規則性が、ボール缶どうしを互いに固着させる傾向を有しているからであり、場合によっては、ボール缶のカバーを開けてしまったりするからである。
【先行技術文献】
【特許文献】
【０００５】
【特許文献１】ＵＳ−Ａ−２００４／０６５６６９
【特許文献２】ＦＲ−Ｂ−２ ８２３ ７２３
【発明の概要】
【発明が解決しようとする課題】
【０００６】
本発明は、ラケットスポーツにおけるボールのための缶であって、カバーの紛失防止機能を提供し得るとともに、非円形カバーを使用することなく、ボール缶がコート上を転がってしまうことを防止し得るような、新規な缶を提案することによって、上記の様々な欠点を克服することを意図したものである。
【課題を解決するための手段】
【０００７】
この目的のために、本発明は、特にテニスボールやバドミントンシャトルコックといったようなラケットスポーツにおけるボールのためのボール缶に関するものであって、複数のボールまたは複数のシャトルコックを収容する中空チューブと、この中空チューブに対して固定されるキャップであるとともに、中空チューブに対して一体化され得るリングと、このリングに対してヒンジ連結されたカバーと、を備えた、キャップと、を具備している。本発明によるボール缶は、カバーとリングとの間のヒンジ連結が、ジョイントによって行われ、このジョイントが、少なくとも１つのヒンジと、復帰部材と、を備え、復帰部材が、カバーの開放時には、カバーをリングに対して９０°よりも大きな角度をなす位置にまで移動させ得るものとされていることを特徴としている。
【０００８】
本発明のおかげで、カバーは、ユーザーによってもたらされたわずかな力の作用によって、ボール缶の転がりを防止し得る位置にまで、自動的に開放される。ボール缶の閉塞状態においては、格納の問題点を引き起こしたり、あるいは、産業上の取り扱いの問題点を引き起こしたり、するような不規則性が、一切存在していない。リングに対してのカバーの固定により、カバーの紛失という問題点を回避することができる。
【０００９】
本発明の必須ではない有利な見地においては、そのようなボール缶は、任意の組合せでもって、以下の様々な特徴点のうちの１つまたは複数の特徴点を備えることができる。
−カバーが、カバーとリングとの間の角度が１８０°である位置にまで復帰部材によって移動されるという特徴点。
−カバーが、カバーとリングとの間の角度が１８０°よりも小さい位置にまで例えば１３５°〜１５０°という位置にまで復帰部材によって移動されるという特徴点。
−復帰部材が、双安定性のものとされているという特徴点。
−ジョイントが、１つの中央ヒンジと、この中央ヒンジの両サイドに設けられた２つの復帰部材と、を有しているという特徴点。
−ジョイントが、このジョイントの中央に配置された復帰部材と、この復帰部材の両サイドに設けられた２つのヒンジと、を有しているという特徴点。
−キャップの閉塞状態においては、カバーが、中空チューブに対して一体化されるという特徴点。
−キャップの閉塞状態においては、カバーが、リングに対して一体化されるという特徴点。
−キャップの開放時には、復帰部材が、スプリングバックするという特徴点。
【００１０】
例示としての添付図面を参照しつつ本発明によるボール缶の３つの実施形態に関する以下の説明を読むことにより、本発明がより明瞭に理解され、本発明の利点が明瞭となるであろう。
【図面の簡単な説明】
【００１１】
【図１】本発明の第１実施形態によるボール缶に属するキャップを示す斜視図である。
【図２】ボール缶に属するチューブ上に取り付けられた図１のキャップを、矢印ＩＩの向きから見た図であって、チューブは、破線によって図示されている。
【図３】図１および図２のキャップを、矢印ＩＩＩの向きから見た図である。
【図４】本発明の第２実施形態によるボール缶に属するキャップを示す斜視図である。
【図５】図２と同様の図であって、図４のキャップを、矢印Ｖの向きから見た図である。
【図６】図４および図５のキャップを、矢印ＶＩの向きから見た図である。
【図７】本発明の第３実施形態によるボール缶に属するキャップを示す斜視図である。
【発明を実施するための形態】
【００１２】
図１〜図７に示すボール缶のキャップ２は、リング４と、カバー６と、を備えている。カバー６は、中間位置に設けられたジョイント８を介して、リング４に対してヒンジ連結されている。カバー６は、回転軸線Ｘ−Ｘ’まわりにおいて、リング４に対して回転可能とされている。リング４とカバー６とは、互いに連携して、図３および図５において記号βによって示されている角度を形成する。
【００１３】
リング４とカバー６とは、共に、円形形状とされている。カバー６は、ジョイント８とは径方向の反対側において、タブ６１を有している。タブ６１を使用することにより、指によってカバーを開けることができる。
【００１４】
リング４は、図２において破線によって図示された中空チューブＴを備えたボール缶Ｂに対して一体的に形成されるのに適したものとされている。中空チューブＴは、複数のボールを収容することを意図したものである。本明細書においては、『ボール』という用語は、広範な意味合いで使用されており、ラケットスポーツの実施において交換される対象物を意味している。より詳細には、ボールには、テニスボールや、バドミントンシャトルコック、等がある。缶Ｂは、チューブの開口端とは反対側の端部に、チューブＴを閉塞するための図示しない底部を有している。チューブの開口端には、キャップ２が取り付けられる。リング４は、内表面４７上に、リングの中央軸線Ｙ４に向けて突出した複数の部材４１を有している。部材４１により、リング４をチューブＴに対して固定することができる。
【００１５】
ボールのためのチューブＴは、長手方向軸線Ｙ−Ｙ’まわりにおいて回転対称とされている。この形状により、Ｙ−Ｙ’軸線まわりにおけるチューブＴの回転可能性が誘起され、例えばテニスコートといったような平坦表面上における外部円筒表面の転がりを誘起する。この転がりが、プレーヤの集中にとって不愉快なノイズを生成し、試合中に缶をプレー領域にまで移動させかねない。
【００１６】
カバー６は、チューブの閉塞時には、チューブＴに対して一体化されるのに適したものであり、この目的のために、カバー６の内側面上に、リブ６３を有している。リング４は、チューブＴのエッジＴ１がカバー６の閉塞面に向けてリング４を超えて延出されているようにして、チューブＴに対して取り付けられている。よって、カバー６は、チューブＴに対して係合することができる。
【００１７】
ジョイント８は、中央ヒンジ８２を有している。中央ヒンジ８２は、Ｘ−Ｘ’軸線まわりにおける、リング４に対しての、カバー６の回転移動を可能とする。この回転移動は、ヒンジ８２の２つの部分の、Ｘ−Ｘ’軸線まわりにおける変形に基づいている。
【００１８】
ヒンジ８２の両サイドには、リング４の外表面４３とカバー６の外表面６５との間にわたって、２つの復帰部材８４が延在している。復帰部材８４の各々は、リング４およびカバー６に対しての一体ブレードという形状を有している。
【００１９】
復帰部材８４は、キャップ２の閉塞状態においては、引き伸ばされている。
【００２０】
カバー６の開放時には、ユーザーによる少しの開放力だけで、復帰部材８４のスプリングバックおよび収縮を十分に引き起こすことができる。これにより、カバー６を、リング４に対して平行な位置にまで移動させることができる、すなわち、角度βがほぼ１８０°とされた位置にまで移動させることができる。
【００２１】
図１〜図３の構成においてＸ−Ｘ’軸線に対して垂直に測定した際の復帰部材８４の最大長さＬ８４は、３〜９ｍｍである。
【００２２】
第２実施形態および第３実施形態においては、第１実施形態と共通する部材については、同じ参照符号が付されている。
【００２３】
図４〜図６に示す本発明の第２実施形態においては、キャップ２のジョイント８は、１つの中央復帰部材８４と、この中央復帰部材８４の両サイドに配置された２つのヒンジ８２と、を有している。この場合にも、復帰部材８４は、リング４の外表面４３と、カバー６の外表面６５と、の間にわたって延在している。上記と同様に、カバー６の開放時には、中央復帰部材８４がスプリングバックし、これにより、カバー６の開放位置は、リング４に対して平行な位置とされる。この構成においては、復帰部材８４は、開放状態において、Ｘ−Ｘ’軸線まわりにおいて湾曲した形状を有している。
【００２４】
この第２実施形態においては、リング４は、突出した円筒形状スカート４５を有している。このスカート４５は、キャップ２の閉塞状態においては、カバー６を受領することができる。
【００２５】
図７に示す第３実施形態においては、カバー６は、固定手段６７を有している。固定手段６７は、ジョイント８とは径方向の反対側においてリング４の外表面４３上に配置された閉塞リブ４６と連携することができる。固定手段６７は、カバー６の外表面６５から突出するラグという態様で具現される。この場合には、チューブＴは、リング４を超えて突出することはない。
【００２６】
リング４に対してほぼ１８０°をなす開放角度とされた位置へのカバー６の自動的な開放は、Ｙ−Ｙ’軸線まわりにおけるボール缶Ｂの回転を自動的に防止することができる。よって、Ｙ−Ｙ’軸線まわりにおける回転防止のために、ユーザーがそのような１８０°開放位置にまでカバーを開放する必要はない。
【００２７】
この実施形態においては、復帰部材８４は、双安定性のものとされている。すなわち、復帰部材の弛緩位置から引き伸ばし位置への移行のためには、外力が必要とされる。また、復帰部材の引き延ばし位置から弛緩位置への移行に際しても、外力が必要とされる。
【００２８】
本発明の３つの実施形態においては、ヒンジ８２および復帰部材８４は、プラスチック材料製のキャップ２の成形時に形成される。カバー６を開放位置にまで移動させるだけの弾性力を可能とするために、キャップ２は、開放状態として製造される。これにより、復帰部材８４は、キャップ２の開放状態において、弛緩位置とされる。したがって、カバー６の閉塞に際しては、開放位置に向けて付勢するような復帰部材８４による復帰力に打ち勝つ必要がある。
【００２９】
１つまたは複数の復帰部材８４によってもたらされる復帰力は、リング４の外表面４３に対しての取付位置とカバー６の外表面６５に対しての取付位置との間における復帰部材８４の長さに応じて、決定される。
【００３０】
リング４に対してのカバー６の開放は、カバー６とリング４との間の角度βが例えば１００°といったような９０°をわずかに超えた位置へと、制限することができる。より好ましくは、カバーの開放角度βは、９０°よりも十分に大きくなおかつ１８０°よりも小さなものとされる。そのような角度は、例えば、１３５〜１５０°とされる。
【００３１】
上記の３つの実施形態の各特徴点は、本発明の範囲内において、互いに組み合わせることができる。
【符号の説明】
【００３２】
２  キャップ
４  リング
６  カバー
８  ジョイント
８２  ヒンジ
８４  復帰部材
Ｂ  ボール缶
Ｔ  中空チューブ
β  開放角度
【図１】
2013536130.tif 000003
【図２】
2013536130.tif 000004
【図３】
2013536130.tif 000005
【図４】
2013536130.tif 000006
【図５】
2013536130.tif 000007
【図６】
2013536130.tif 000008
【図７】
2013536130.tif 000009
【国際調査報告】
2013536130.tif 000010
2013536130.tif 000011
2013536130.tif 000012
2013536130.tif 000013
2013536130.tif 000014
2013536130.tif 000015